(57)【要約】【課題】小物をテーブル上などに置いておく小物収容用としての利用は勿論、小物を収納し携帯する小物携帯用として利用することができる小物ケースを提供する。【解決手段】底面部２と、底面部２各辺から立ち上がる側面部３とを有して展開可能に形成されているケース本体１を備えている。ケース本体１は、展開状態から２つ折りされることで互いに重なる側面部３の立上り上縁部３ａ側を連結するファスナー４を備え、また、展開状態において立ち上げた側面部３同士を結合する雄雌からなるホック５を、底面部２の四隅コーナーにおいて立ち上り隣り合う側面部３の内側に備えている。【選択図】図１
0003200789.tif 000002
【実用新案登録請求の範囲】
【請求項１】
平面視で四角形或いは多角形の底面部と、
前記底面部の各辺から互いに連設された状態で立ち上がる側面部と、を有して展開可能に形成されているケース本体を備え、
前記ケース本体は、
展開状態から２つ折りとされて、当該２つ折りにより互いに重なる前記側面部の立上り上縁部側を連結する連結部材と、
前記側面部を立ち上げて結合する結合部材と、を備えていることを特徴とする小物ケース。
【請求項２】
布製の前記ケース本体は、前記底面部の各辺に折り目線を備え、当該折り目線から前記側面部が立ち上げ可能に形成されていることを特徴とする請求項１に記載の小物ケース。
【請求項３】
前記側面部の立上り上縁部側を開閉可能で密閉状に連結する前記連結部材が、ファスナーであり、前記側面部を係脱可能に結合する前記結合部材が、雄雌からなるホックであることを特徴とする請求項１または請求項２に記載の小物ケース。
【考案の詳細な説明】
【技術分野】
【０００１】
本考案は、例えば、身の回りの小物を収容して置いておく収容トレイとしての利用に加えて他の用途にも利用することができる小物ケースに関する。
【背景技術】
【０００２】
小物を収容して置いておく利用に加えて他の用途にも利用することができる小物入れは下記特許文献１などにおいて知られている。
【０００３】
特許文献１には、平面視が矩形状の底面部の４辺から立上がる側壁部を備え、側壁部は底面部の対向する２辺から立上がり、上部が水平状に形成された矩形側壁の前後側壁部と、底面部の他の対向する２辺から立上がり、上部の中央部分が上方に尖った山形側壁の左右側壁部とを有し、前後側壁部と左右側壁部とは底面部と同一面に展開可能に形成されているとともに、前後側壁部と左右側壁部とを立上げて連結するホックからなる連結具を備えている小物入れが開示されている。
【先行技術文献】
【特許文献】
【０００４】
【特許文献１】実用新案登録第３０４１８９８号
【考案の概要】
【考案が解決しようとする課題】
【０００５】
しかしながら、上記従来技術の小物入れは、メガネなどの小物を収容して置いておく利用、そして読書中の書斎を開いた状態で置いておく利用においては有効と言えるが、例えば、身の回りの小物を収納して携帯するための小物入れとしては利用上の問題がある。特に、紛失し易い小物（例えば、指輪、イヤリング、ブローチなど装身具）を収納し携帯した場合、従来技術では小物入れの開口部を開閉する手段を備えていないことで、携帯中に小物が飛び出すなどによって紛失するおそれがあるなどから小物携帯用として日常的に利用することができない問題があった。
【０００６】
本考案は、上記従来事情に対処することを課題の一例として創案されたものである。すなわち、小物をテーブル上などに置いておく小物収容用としての利用は勿論、小物を収納し携帯する小物携帯用としても利用することができるようにすることにある。
【課題を解決するための手段】
【０００７】
前記課題を解決するために、本考案に係る小物ケースでは、少なくとも以下の構成を具備する手段を講ずるものである。
【０００８】
平面視で四角形或いは多角形の底面部と、前記底面部の各辺から互いに連設された状態で立ち上がる側面部とを有して展開可能に形成されているケース本体を備え、前記ケース本体は、展開状態から２つ折りとされて、当該２つ折りにより互いに重なる前記側面部の立上り上縁部側を連結する連結部材と、前記側面部を立ち上げて結合する結合部材とを備えていることを特徴とする。
ここで、前記ケース本体は、前記底面部の各辺に折り目線を備え、当該折り目線から前記側面部が立ち上げ可能に形成されていること、また、前記側面部の立上り上縁部側を開閉可能で密閉状に連結する前記連結手段が、ファスナーであり、前記側面部を係脱可能に結合する前記結合部材が、雄雌からなるホックであること、などの構成を採用することが好ましい。
【０００９】
このような構成によれば、ケース本体を展開させた状態から２つ折りにして互いに重なる側面部の立上り上縁部側を連結部材により連結することで、２つ折りされたケース本体は閉じられる。これにより、例えば、旅行に出掛けるときや外出するなどのときに、小物（ブレスレット、指輪、イヤリング、ブローチなどの装身具）を飛び出し紛失するおそれのない状態で収納し携帯することができる携帯用収納ケース（例えば、パスケース、ポーチケースなど）として日常的に利用することができる。
また、ケース本体を展開させた状態において、底面部の各辺から側面部を立ち上げ、立ち上げた側面同士を結合部材にて結合することで、小物をテーブル上にまとめて置いておくための収容トレイとして利用することができる。このとき、側面部は底面部各辺の折り目線から立ち上げられることで、布製のケース本体の底面部に皺ができることや波を打つなど、底面部の型崩れのない状態で側面部を立ち上げ結合することができる。
【考案の効果】
【００１０】
本考案によれば、小物をまとめて置いておくための収容トレイとしての利用に加えて、携帯中などに小物が飛び出して紛失するなどのおそれがない収納形態にて小物を収納し携帯することができる携帯用収納ケース（例えば、パスケース、ポーチケースなど）としても利用することができる小物ケースを提供することができる。
【００１１】
また、側面部が立ち上る底面部の各辺には折り目線が設けられていることで、小物が収容して置かれる底面部に皺ができることや波を打つなどの型崩れのない平らな面の底面部として側面部を立ち上げ結合することができる。これにより、ケース本体が布製でありながら、テーブル上に小物を収容して置いておくときに、型崩れのない平らな面の底面部に小物毎に整理した状態で収容し置くことができる収容トレイとすることができる。
【図面の簡単な説明】
【００１２】
【図１】本考案の実施形態に係る小物ケースを展開させた状態で示す斜視図である。
【図２】ケース本体を２つ折りの携帯用収納ケースとした場合の例を示す斜視図で、ファスナーを途中まで閉じた状態で示す。
【図３】ケース本体の底面部から側面部を立ち上げた収容トレイとした場合の例を示す斜視図で、（ａ）は、斜め上方から見たときの全体を示し、（ｂ）は、側面部を立ち上げて結合部材にて結合するときの状態を示した部分拡大図である。
【考案を実施するための形態】
【００１３】
以下、図面を適宜参照しながら、本考案の小物ケースＡについて詳細に説明する。本考案の実施形態は図示の形態を含むが、これに特に限定されるものではない。
【００１４】
≪小物ケースＡの説明≫
図１は、本考案の実施形態に係る小物ケースＡを展開させた状態で示す斜視図であり、図２は、ケース本体１を２つ折りの携帯用収納ケースＡ−１とした場合の例を示す斜視図であり、図３は、ケース本体１の底面部２各辺から側面部３を立ち上げた浅底の収容トレイＡ−２とした場合の例を示す斜視図である。
【００１５】
小物ケースＡは、例えば、合成繊維やその他の繊維からなる内張り素材と外張り素材を用いた縫製によって平面視で正方形に形成された布製のケース本体１を備えている。
内張り素材としては、収納携帯する小物（ブレスレット、指輪、イヤリング、ブローチなどの装身具）Ｂによって汚れ難く、皺になり難いなどの特性を有する繊維素材が好ましく、一方、外張り素材としては、撥水性を有するなどの汚れ難く手入れが簡便な特性を有する繊維素材（例えば、合成皮革など）が好ましい。
【００１６】
≪ケース本体１の説明≫
ケース本体１は、図１に示すように、平面視で正方形の底面部２と、この底面部２周りの各辺から互いに連設された状態で立ち上がる側面部３とを有して平面状に展開可能に形成されている。
そして、ケース本体１は、図１に示す展開状態から図２に示すように、２つ折りにされることで互いに重なり合う側面部３の立上り上縁部３ａ側を開閉可能に連結する連結部材であるファスナー４を備えている。また、ケース本体１は、図１に示す展開状態から図３に示すように、底面部２の各辺から立ち上げた側面部３同士を係脱可能に結合する結合部材である雄雌からなるホック５を備えている。
【００１７】
また、図１に示すように、ケース本体１は、側面部３が立ち上る底面部２の各辺に沿って糸を用いて形成された折り目線６を設けている。これにより、ケース本体１の展開状態において底面部２の各辺から側面部３を立ち上げたときに、底面部２に皺などによる型崩れが生じることなく、底面部２から側面部３が略直角に立ち上がるように形成してなる。つまり、側面部３を立ち上げるときに、底面部２の平らな面に皺が生じるなどの型崩れを引き起こさせることなく、互いに連設する側面部３を底面部２各辺の折り目線６から略直角に立ち上げてホック５により係脱可能に結合し得るようにしている。
【００１８】
また、ケース本体１の底面部２四隅コーナーにおける側面部３の連設コーナー部３ｂは、図３に示すように、底面部２の各辺から側面部３を立ち上げたときに外向きの山折りで、なおかつ、ホック５により結合される側面部３同士の内側コーナーが平面視で略直角になる谷折りされるように形成されている。
【００１９】
≪ファスナー４の説明≫
つぎに、２つ折りされたケース本体１の互いに重なり合う側面部３の立上り上縁部３ａ側を開閉可能に連結するファスナー４について説明する。
ファスナー４は、図１に示す展開状態から図２に示すように、ケース本体を２つ折りするときの仮想の折り線８上において両側に位置（存在）する側面部３の立上り上縁部３ａの一方から他方に向けた底面部２各辺の互いに連設する側面部３の立上り上縁部３ａの縁内側に沿って取り付けられる。
これにより、仮想の折り線８上における側面部３の立上り上縁部３ａの一方から他方に向けたスライダー４ａによるファスナー４の閉じ、そして、他方から一方に向けたスライダー４ａによるファスナー４の開きによって側面部３の立上り上縁部３ａ側を連結、そして分離し得るようにしている。ファスナー１が内側に取り付けられた立上り上縁部３ａは帯状の縁部材７を用いた縫着により縁取り処理されている。
【００２０】
≪ホック５の説明≫
雄雌からなるホック５は、図１に示すケース本体１の展開状態から図３に示すように、ケース本体１の底面部２各辺の折り目線６から側面部３を立ち上げたときに、外向きに谷折りされて互いに突き合わせられる側面部３の連設コーナー部３ｂの内側における側面部３の幅方向（高さ方向）の途中部位（ファスナー４の内側）にそれぞれ取り付けられる。これにより、図３の（ａ）に示すように、立ち上げた側面部３同士の内側コーナーが平面視で略直角な結合状態にて結合されるように形成してなる。
【００２１】
［作用説明］
つぎに、以上のように構成されている本実施形態に係る小物ケースＡの使用について説明する。ここでは、図１〜図３を適宜参照しながら説明する。
まず、小物Ｂを収納して携帯する場合の携帯用収納ケース（例えば、パスケース、ポーチケースなど）Ａ−１について説明する。この場合は、図１に示す展開状態からケース本体１を、ファスナー４のスライダー４ａが存在する仮想の折り線８に沿って２つ折りにする。
ケース本体１を２つ折りすることで互いに重なる側面部３の立上り上縁部３ａ側の内側をスライダー４ａによりファスナー４を閉じることで連結する。このとき、ケース本体１を２つ折りする前の展開させた状態か、ケース本体を２つ折りにした状態か、または、図２に示すように、ファスナー４を途中まで閉めた状態で、携帯する小物（ブレスレット、指輪、イヤリング、ブローチなどの装身具）Ｂを収納してファスナー４を完全に閉じて側面部３の立上り上縁部３ａ側を連結する。
これにより、２つ折りされたケース本体１はファスナー４により密閉状に閉じられ、例えば、旅行などに出掛けるとき、携帯中などに小物Ｂが飛び出し紛失するおそれのない状態で収納し携帯することができる携帯用収納ケースＡ−１として利用することができる。
【００２２】
つぎに、テーブル上などに小物Ｂをまとめて置いておく場合の収容トレイＡ−１について説明する。この場合は、図１に示すように、ケース本体１を展開させた状態において、底面部２各辺の折れ目線６から各側面部３を立ち上げ、図３の（ｂ）に示すように、山折りと谷折りされる連設コーナー部３ｂの突き合わせにより嵌合係止される雄雌からなるホック５によって立ち上げた側面部３同士を結合することができる。
これにより、図３の（ａ）に示すように、図ケース本体１を２つ折りにしてファスナー４により密閉状に閉じられた携帯用収納ケースＡ−１にて収納携帯してきた小物（例えば、ブレスレット、指輪、イヤリング、ブローチなどの装身具）Ｂ、そして身に着けてきた小物（例えば、ネックレス、腕時計など）Ｂを、旅行先の宿泊施設のテーブル上にまとめて置いておくための収容トレイＡ−２として利用することができる。
【００２３】
このように、本実施形態によれば、テーブル上などに小物Ｂをまとめて置いておくための収容トレイＡ−２としての利用に加えて、旅行などに出掛けるときに、小物Ｂを収納し携帯することができる日常的な携帯用収納ケース（例えば、パスケース、ポーチケースなど）Ａ−１としても利用することができる小物ケースＡを提供することができる。
【００２４】
［変形例］
以上、本考案の実施形態について図面を参照して詳述してきたが、具体的な構成はこれらの実施形態に限られるものではなく、実用新案登録請求の範囲に記載の本考案の要旨を逸脱しない範囲の設計の変更などがあっても本考案に含まれる。
【００２５】
例えば、前記実施形態詳述では、ケース本体１を含めて底面部２を平面視で正方形としたが、長方形や多角形（六角形など）とすることができる。
また、展開されたケース本体１の２つ折りされた状態において仮想の折れ線上における一方から他方へ、他方から一方へのスライダー４ａの開閉操作より側面部３の立上り上縁部３ａ側を連結するファスナー４を開け閉めするようにしたが、仮想の折れ線上における双方にスライダー４ａを備え、ファスナー４を双方から開け閉めするようにすることもできる。
【００２６】
また、底面部２各辺から立ち上げた各側面部３同士を結合する結合部材として、前記実施形態詳述では雄雌からなるホック５としたが、雄雌からなる面ファスナー、そして簡易的なフックなどを挙げることができる。
【００２７】
また、ケース本体１の内側（底面部２）に小物Ｂを個別に収納し得るように、区分けした収納部（ポケットなど）を設けることもできる。この場合、ケース本体１を２つ折りの携帯用収納ケースＡ−１形態から展開させて側面部３を立ち上げた収容トレイＡ−２形態に変換させたときに、各収納部が上向きに開口するように工夫することが望ましい。このようにすることで、例えば、鎖やチェーンなどからなる携帯時に絡み易いネックレスなどの小物が絡み合うことを防いだ状態で収納し携帯することができるなどの効果が期待される。
【符号の説明】
【００２８】
Ａ      小物ケース
Ａ−１  携帯用収納ケース
Ａ−２  収容トレイ
１      ケース本体
２      底面部
３      側面部
３ａ    立上り上縁部
３ｂ    連設コーナー部
４      ファスナー（連結手段）
４ａ    スライダー
５      ホック（結合部材）
６      折り目線
【図１】
0003200789.tif 000003
【図２】
0003200789.tif 000004
【図３】
0003200789.tif 000005